(57)【要約】      （修正有）【課題】骨盤下部の弛んだ骨盤底筋群を引き上げ、膀胱や子宮・腸を引き上げ正規の位置に保持し尿漏れの抑制を図り、骨盤背面からサポートすることで、腹部に苦痛を与えることなく姿勢を正すことができるガードルを提供する。【解決手段】腹部及び股関節部を覆う前身頃１２と、腰部を覆う後身頃と、前身頃の中央と後身頃の中央とを繋ぐサポート布１４と大腿部を覆う脚部布１５を備える。サポート布１４は、伸縮性の強い生地で形成され、前身頃１２側の一端側を前身頃底の中央に身生地に縫着し、腹部１２ａと、股部と、臀部の中央部とを一体に覆い、後身頃側の他端側を後身頃底の中央部に縫着する。【選択図】図１
0003234606.tif 000002
【実用新案登録請求の範囲】
【請求項１】
伸縮性のあるニット生地の身体に密着する衣類において、腹部を覆う前身頃と、腰部を覆う後身頃と、前記前身頃の中央部と前記後身頃の中央部を繋ぐサポート布を備え、前記サポート布は、伸縮性の強いニット素材で形成され一端両側部を前記前身頃下部の中央部の身生地に、他端部を前記後身頃の中央部の身生地にそれぞれ縫製し、腹部と腰部、股部と臀部の中央部、大腿部を一体に覆うこと特徴とするガードル。
【考案の詳細な説明】
【技術分野】
【０００１】  本考案は、骨盤背後からのサポートで骨盤を立てて姿勢を正し、骨盤底筋群のサポートで骨盤底筋群の弛みによる尿漏れを防ぐために着用される衣類に関するものである。
【背景技術】
【０００２】  一般的に、補正効果のあるガードルは、生地やパワーネットなどの副資材の圧縮力で、体に圧力をかけ強制的に引きしめ、下半身や体のラインを整え、ヒップを上げお腹周りを細く見せる下着で、着用する人に大きな苦痛を与えるとともに、腹部を締め付け体内の血液やリンパ液の循環を妨げることで、便秘や冷え性などの問題を生じることとなっていた。
【先行技術文献】
【特許文献】
【０００３】
【特許文献１】実用新案登録第３２０１３５９号公報
【考案の概要】
【考案が解決しようとする課題】
【０００４】  解決しようとする課題は、４０歳以上の女性たち、更に３０代の女性でも出産とともに尿漏れの症状があることが明らかで、生活に支障が生じている。尿漏れの原因は、妊娠や出産、更年期のホルモン低下や肥満などが原因で、膀胱や尿道を下から支える骨盤底筋群が弛み、咳やくしゃみをすると腹直筋から骨盤底筋群に伝わり、本来であれ骨盤底筋群を締めて止めるが、弛んだ筋肉が膀胱にたまった尿を止めることができず、尿漏れを起こすと考えられる。【０００５】  上述の特許文献１のガードルは、腹部や臀部を適度に締め付け、体の表面の補正効果を図ることはできるが、腹部に大きな負荷がかかり、骨盤底筋群の弛みによる尿漏れの抑制や骨盤を正規の位置に正すことはできなかった。【０００６】  そこで本考案は、内臓のある腹部の負荷を軽減しながら骨盤の後ろからサポートして骨盤そのものを立てた正規の位置に正して体型の補正効果を図り、弛んだ骨盤底筋群を引き上げ、膀胱や尿道を本来の正規の位置に保持して尿漏れの抑制を図ることができるガードルを提供することを目的としている。
【課題を解決するための手段】
【０００７】  上記の目的を達成する本考案は、腹部を覆う前身頃と、腰部を覆う後身頃と、前記前身頃の中央部と前記後身頃の中央部を繋ぐサポート布を備え、前記サポート布は、伸縮性の強いニット素材で形成され一端両側部を前記前身頃下部の中央部の身生地に、他端部を前記後身頃の中央部の身生地にそれぞれ縫着し、腹部と股部と臀部の中央部を一体に覆うこと特徴としている。【０００８】  また、前記前身頃と前記後身頃と前記サポート布とに亘って、大腿部を覆う脚部布を逢着しガードルとして着用する。
【考案の効果】
【０００９】  本考案のガードルは、ショーツの上に重ね履きすることにより、伸縮性の強いニット素材で形成されたサポート布の張力で、大腿と臀部とで囲まれた股間部が上方に引き上げられ、弛んだ骨盤底筋群が上方に引き上げられることから、膀胱や尿道を正規の位置に保持し、尿漏れを防ぐことができる。前身頃腹部のニット生地は、より伸縮性の良い身生地を使用することで、ガードルの着脱を容易にするとともに、小腸や大腸を圧迫し便秘になるのを防ぐ。骨盤の背中側と骨盤の底の骨盤底筋群を支えて、腹部への負担を軽減し、腹部の苦痛を感じることなく、尿漏れを防ぐ衣料の提供にある。【００１０】  また、骨盤背面に沿って腰部の後身頃・前身頃脇部にサポートして骨盤を立てた正規の位置に保ち、骨盤内部に位置する小腸や大腸のある腹部の負担を少なくし、体型の補正効果を図ることができる。
【図面の簡単な説明】
【００１１】
【図１】図１は本考案をガードルに適用した場合の正面図である。
【図２】図２は本考案をガードルに適用した場合の背面図である。
【図３】図３は同正面の裏側の骨盤サポート布（１２ａ・１２ｂ）と骨盤底筋群サポート（１４ａ・１４ｂ）を示す図である。
【図４】図４は同背面の裏側の骨盤サポート布（１３ａ）と骨盤底筋群サポート（１４ｃ）を示す図である。
【図５】図５は本考案のガードルを示す斜視図である。
【図６】図６は本考案の第２の実施例を示すショーツガードルの正面図である。
【図７】図７は本考案の第２の実施例を示すショーツガードルの背面図である。
【考案を実施するための形態】
【００１２】以下、図面に基づいて、本考案の第１形態例を説明する。図１〜図５は、本考案の第１形態例を示すもので、ガードル１１は、着装者の腹部及び股関節部を覆う前身頃１２と、腰の上部を覆う後身頃１３と、前身頃１２の中央と後身頃１３の中央とを繋ぐサポート布１４と大腿部を覆う布１５で構成されている。
【００１３】  前身頃１２と後身頃１３の身生地１２ｂ，１３ａは、伸縮性の強い生地が使用され、一体的に連結して形成され、前身頃１２の中央部１２ａは伸縮性の良い生地が使用されている
【００１４】  サポート布１４の本体部、前腹部下１４ａ，クロッチ部１４ｂ，臀部中央部１４ｃは、伸縮性の強い生地で形成され、一体的に連結して形成されている。クロッチ部１４ｂには、防水布が内蔵されている。
【００１５】  本形態例は、上述のように形成されることにより、ガードル１１をショーツの上に重ね履きすることにより、伸縮性の強い生地で形成されたサポート布１４の張力で骨盤底筋群が上方に引き上げられ、膀胱や尿道を正規の位置に保持し、尿漏れの抑制を図ることができる。前腹部１２ａに伸縮性の良い生地を使用することにより、着脱が容易になるとともに、小腸や大腸への締め付けを軽減する。前身頃１２と後身頃１３の身生地１２ｂ，１３ａは、伸縮性の強い生地を使用することで、装着者の骨盤の背後に密着することで、骨盤背面に沿って腰部の後身頃・前身頃脇部にサポートして骨盤を立てた正規の位置に保ち、骨盤内部に位置する小腸や大腸のある腹部の負担を軽減し、体型の補正効果を図ることができる。
【００１６】  図６図７は、本考案の第２形態例を示すもので、第１形態例と同様の構成要素を示すものには、同一の符号をそれぞれ付して、その詳細な説明は省略する。
【符号の説明】
【００１７】  １１…ガードル、１２…前身頃、１２ａ…前腹部、１２ｂ…前腰部、１３…後身頃、１３ａ…後腰部、１４…サポート布、１４ａ…前サポート部、１４ｂ…クロッチサポート部、１４ｃ…臀部引き締め部、１５…脚部布、２１…ショートガードル
【図１】
0003234606.tif 000003
【図２】
0003234606.tif 000004
【図３】
0003234606.tif 000005
【図４】
0003234606.tif 000006
【図５】
0003234606.tif 000007
【図６】
0003234606.tif 000008
【図７】
0003234606.tif 000009